(57)【要約】【課題】様々な軒樋支持具に容易に取り付けることができ、また、軒樋支持具に後付でも取り付けることができる吊り下げフック部材を提供する。【解決手段】軒樋４を支持する軒樋支持具５に吊り下げ支持される吊り下げフック部材１において、該吊り下げフック部材は、本体部１０と、該本体部の下方に位置するフック部１１とを有しており、前記本体部は、幅方向の端面１０ａの少なくとも一方から内方側に凹状に開口する開口部１２が形成されている。【選択図】図１
2020143424.tif 000002
【特許請求の範囲】
【請求項１】
軒樋を支持する軒樋支持具に吊り下げ支持される吊り下げフック部材において、
該吊り下げフック部材は、本体部と、該本体部の下方に位置するフック部とを有しており、
前記本体部は、幅方向の端面の少なくとも一方から内方側に凹状に開口する開口部が形成されていることを特徴とする吊り下げフック部材。
【請求項２】
請求項１において
前記フック部は、竿状体を前記軒樋に沿って保持し得ることを特徴とする吊り下げフック部材。
【請求項３】
請求項１又は２において、
前記本体部は、前記開口部から連通して上方向に凹状に開口し、前記軒樋支持具の一部と係合する係合凹部がさらに形成されていることを特徴とする吊り下げフック部材。
【請求項４】
請求項１乃至３のいずれか１項において、
前記開口部は、前記本体部の内方側から外方側に近づくにつれて開口幅が大きくなることを特徴とする吊り下げフック部材。
【請求項５】
請求項１乃至４のいずれか１項において、
前記本体部の上部は、前後方向に折曲されていることを特徴とする吊り下げフック部材。
【発明の詳細な説明】
【技術分野】
【０００１】
本発明は、軒樋を支持する軒樋支持具に吊り下げ支持される吊り下げフック部材に関する。
【背景技術】
【０００２】
従来より、軒先に固定される軒樋支持具に簾や物干し竿等を取り付けるためのフック部を有する吊り下げフック部材が提案されている（たとえば、特許文献１）。これにより、軒樋支持具の下方の空間を有効に利用することができる。
【先行技術文献】
【特許文献】
【０００３】
【特許文献１】特許第５３５１８３１号公報
【発明の概要】
【発明が解決しようとする課題】
【０００４】
しかしながら、特許文献１では、吊り下げフック部材を吊り下げるための凹状の穴が加工形成されている軒樋支持具が必要である。ようするに、特許文献１の吊り下げフック部材は、特許文献１の軒樋支持具と組み合わせることでしか使用できず、上記の凹状の穴等のない軒樋支持具には、組み合わせて使用することができない。
【０００５】
本発明は、このような事情を考慮して提案されたもので、その目的は、様々な軒樋支持具に容易に取り付けることができ、また、軒樋支持具に後付でも取り付けることができる吊り下げフック部材を提供することにある。
【課題を解決するための手段】
【０００６】
上記目的を達成するために、請求項１に記載の吊り下げフック部材は、軒樋を支持する軒樋支持具に吊り下げ支持される吊り下げフック部材において、該吊り下げフック部材は、本体部と、該本体部の下方に位置するフック部とを有しており、前記本体部は、幅方向の端面の少なくとも一方から内方側に凹状に開口する開口部が形成されていることを特徴とする。
【０００７】
請求項２に記載の吊り下げフック部材は、前記フック部は、竿状体を前記軒樋に沿って保持し得ることを特徴とする。
【０００８】
請求項３に記載の吊り下げフック部材は、前記本体部は、前記開口部から連通して上方向に凹状に開口し、前記軒樋支持具の一部と係合する係合凹部がさらに形成されていることを特徴とする。
【０００９】
請求項４に記載の吊り下げフック部材は、前記開口部は、前記本体部の内方側から外方側に近づくにつれて開口幅が大きくなることを特徴とする。
【００１０】
請求項５に記載の吊り下げフック部材は、前記本体部の上部は、前後方向に折曲されていることを特徴とする。
【発明の効果】
【００１１】
請求項１に記載の吊り下げフック部材は、上述した構成とされているため、開口部に軒樋支持具の一部を挿し込むことによって吊り下げ支持されることができる。また、フック部に物を引掛けることができるので、フック部によって軒樋支持具の下方側の空間を有効に利用することができる。
【００１２】
請求項２に記載の吊り下げフック部材は、上述した構成とされているため、フック部に竿状体を軒樋に沿って保持させることができる。
【００１３】
請求項３に記載の吊り下げフック部材は、上述した構成とされているため、係合凹部に軒樋支持具が係合されることによって、吊り下げフック部材が軒樋支持具から脱落しにくくなる。
【００１４】
請求項４に記載の吊り下げフック部材は、上述した構成とされているため、開口部に軒樋支持具の一部を挿し込みし易くなる。
【００１５】
請求項５に記載の吊り下げフック部材は、上述した構成とされているため、折り曲げられた本体部の上部によって、より広い面で吊り下げフック部材が軒樋支持具に吊り下げ支持される。
【図面の簡単な説明】
【００１６】
【図１】（ａ）は、吊り下げフック部材の斜視図、（ｂ）は折曲部が形成された吊り下げフック部材の斜視図である。
【図２】（ａ）は、吊り下げフック部材が軒樋支持具に吊り支持される前の状態の平面図、（ｂ）は、（ａ）のＸ−Ｘ線矢視断面図である。
【図３】（ａ）は、吊り下げフック部材が軒樋支持具に吊り支持されている状態の平面図、（ｂ）は、（ａ）のＹ−Ｙ線矢視断面図である。
【図４】は、軒先に設置された軒樋支持具に吊り支持されている吊り下げフック部材が日除けシェードを保持している状態の側面図である。
【図５】（ａ）は、第１変形例の正面図、（ｂ）は、第２変形例の正面図、（ｃ）は、第３変形例の斜視図である。
【発明を実施するための形態】
【００１７】
以下に、本発明の実施の形態について図面に基づいて説明する。まず、吊り下げフック部材１の基本構成について説明する。なお、吊り下げフック部材が吊り下げ支持されている軒樋支持具が軒先に固定されている状態を基準にして、前後方向（軒先から離れる方向を前方向、軒先に近づく方向を後ろ方向）、幅方向（軒先に対する見付の方向と一致する方向）、上下方向等を規定する。また、一部の図では、他図に付している詳細な符号の一部を省略している。
【００１８】
吊り下げフック部材１は、軒樋４を支持する軒樋支持具５に吊り下げ支持される。吊り下げフック部材１は、本体部１０と、本体部１０の下方に位置するフック部１１とを有している。本体部１０は、幅方向の端面１０ａの少なくとも一方から内方側に凹状に開口する開口部１２が形成されている。以下、詳しく説明する。
【００１９】
吊り下げフック部材１は、ステンレス等の金属製の板材から形成されている。図１（ａ）に示すように、吊り下げフック部材１は、上方側に幅広の本体部１０を有している。本体部１０は、開口部１２の下方から下方向に向けて幅方向の寸法が小さくなるように形成され、本体部１０の下端部１０ｂから長板状の接続部１５を介してフック部１１が形成されている。フック部１１は、吊り下げフック部材１の下端を前後方向の後ろ側に半円状に湾曲して形成されている。これにより、フック部１１は、竿状体２を軒樋４に沿って保持することができる。また、接続部１５は、吊り下げフック部材１が軒樋支持具５に吊り下げ支持されているときに、フック部１１が軒樋４の下方に位置する寸法で形成されている。また、本体部１０とフック部１１とは、幅方向の中心の位置が略同じになるように形成されている。また、同様に前後方向の中心の位置が略同じになるように形成されている。これにより、フック部１１で竿状体２を保持した状態であっても、軒樋支持具５に安定した状態で吊り下げフック部材１は吊り下げ支持される。
【００２０】
本体部１０は、幅方向の一方の端面１０ａから内方側に凹状に開口して開口部１２が形成されている。開口部１２は、本体部１０の内方側から外方側に近づくにつれて開口幅が大きくなる。そして、開口部１２から連通して上方向に凹状に開口し、軒樋支持具５の一部と係合する係合凹部１３が形成されている。係合凹部１３の幅方向の寸法ｂ１は、後述する軒樋支持具５の取付杆５２の幅方向の寸法ｂ２よりも若干大きく形成されている。
【００２１】
開口部１２は、内方側の開口幅ａ１より外方側の開口幅ａ２が大きくなっているので、軒樋支持具５の一部に吊り下げフック部材１を吊り下げ支持させる作業がしやすくなっている。また、係合凹部１３は開口部１２から連通して上方向に凹状に開口しているので、軒樋支持具５に吊り下げフック部材１が吊り下げ支持された後、吊り下げフック部材１の自重により、係合凹部１３と軒樋支持具５の一部と係合されるので、脱落しにくくなる。
【００２２】
また、本体部１０は、図１（ａ）の一点鎖線Ａに沿って（係合凹部１３の上側のふちに沿って）、本体部１０の上部を前後方向の前側に折曲状に形成された折曲部１４を備えている（図１（ｂ）参照）。図１（ａ）の折曲部１４を備えない吊り下げフック部材１であっても軒樋支持具５に問題なく吊り下げ支持されるが、図１（ｂ）の吊り下げフック部材１では、折曲部１４による係合凹部１３よりも広い面を備えることにより、吊り下げフック部材１と軒樋支持具５とが接触する面積が大きくなるので、軒樋支持具５により安定して吊り下げ支持される。なお、折曲部１４は、前後方向のいずれの方向に形成されてもよく、前後方向の両方向に形成されてもよい。
【００２３】
次に図２、図３、図４を参照して、吊り下げフック部材１を軒樋支持具５に吊り下げ支持させる方法の一例について説明する。なお、吊り下げフック部材１は、図１（ｂ）の折曲部１４を備えているものを例として説明する。
【００２４】
本実施形態で吊り下げフック部材１が吊り下げられる軒樋支持具５は、軒樋４を吊り支持する吊具である。軒先６に固定される板状の取付板部５１と、取付板部５１から前方に延びる取付杆５２と、取付杆５２に前後方向にスライド可能に連結され、長孔５３を有し軒樋４を吊り支持する樋支持具本体５４とを有する。樋支持具本体５４は、軒樋４の前耳４ａを保持する前耳保持部５５と、後耳４ｂを保持する後耳保持部５６とを有する。樋支持具本体５４の下方には、樋支持具本体５４の前後方向のスライドのロック状態／アンロック状態を回転操作により自在に切り替えるロックレバー５７を有する。取付杆５２、樋支持具本体５４、ロックレバー５７を重ねて上下に貫通する固定具５８でこれらは連結されている。
【００２５】
軒樋支持具５は、軒先６に固定されており、軒樋４の前耳４ａ、後耳４ｂを前耳保持部５５と後耳保持部５６とにより保持して、軒樋４を吊り支持している。
吊り下げフック部材１は、本体部１０が軒樋支持具５の取付板部５１の先端面５１ａと樋支持具本体５４の後端部５４ａとの間の隙間ｓに、図２（ａ）（ｂ）に示す太矢印の方向に挿し込まれる。本体部１０は、樋支持具本体５４が、取付板部５１と最も接近した位置に固定されていても、取付板部５１と樋支持具本体５４との間の隙間ｓに挿入可能な厚みに形成されている。
【００２６】
図３（ａ）（ｂ）は、吊り下げフック部材１が、軒樋支持具５に吊り下げ支持されている状態を示している。係合凹部１３の上下方向の寸法ｔ１は、取付杆５２の厚みｔ２よりも大きく形成されているので、係合凹部１３は、取付杆５２に深く挿し込まれる。また、係合凹部１３の幅方向の寸法ｂ１は、取付杆５２の幅方向の寸法ｂ２よりも若干大きく形成されているので、係合凹部１３は、取付杆５２を幅方向から挟み込むような態様となる。
【００２７】
次に図４を参照して、軒先６に固定された軒樋支持具５に吊り下げ支持されている吊り下げフック部材１に、竿状体２を支持させて日除けシェード３を設置する方法について説明する。
竿状体２は、断面形状が円形に形成された棒状のものである。竿状体２は、軒樋４の長手方向に沿って取り付けられた複数の吊り下げフック部材１のフック部１１に保持される。フック部１１は、半円状に形成されているので、軒樋４に沿って竿状体２を受けて保持することができる。図１（ｂ）に示すように、布状の日除けシェード３の上方側に開設された孔部３１に通した紐状体３２を竿状体２に結びとめることで、軒樋支持具５の下方の空間に日除けシェード３を設置することができる。さらに、図４に示すように、日除けシェード３の下方側に固定されている紐状体３２を、地面８ａに打ち込まれているペグ８ｂに結びとめる。ペグ８ｂは吊り下げフック部材１よりも前方に位置するので、日除けシェード３は傾斜した状態で固定される。このとき、吊り下げフック部材１の本体部１０の前面１０ｃが樋支持具本体５４の後端部５４ａに当接した状態で、日除けシェード３の下方側に連結されている紐状体３２は、ペグ８ｂに結びとめられる。これにより、吊り下げフック部材１は、本体部１０の前面１０ｃが樋支持具本体５４の後端部５４ａに当接しているので、前方への移動が規制され、また、ペグ８ｂに日除けシェード３の下端が固定されているので、後方への移動が規制される。そのため、風等に煽られても、吊り下げフック部材１の前後方向の位置がずれにくくなっている。なお、日除けシェード３の上方側に固定された紐状体３２を、竿状体２を介さずにフック部１１に直接結びとめてもよい。また、日除けシェード３の下方側に固定されている紐状体３２が結びとめられるのはペグ８ｂに限定されることはない。さらに、日除けシェード３は、下方側が位置を固定されず吊り下げフック部材１や竿状体２に吊られている状態であってもよい。そして、吊り下げフック部材１は日除けシェード３を設置するのに用いられることに限定されず、例えば物干し竿である竿状体２を設置するのに用いられてもよい。
【００２８】
本実施形態では、ステンレス等の金属製の板材から吊り下げフック部材１は形成されているが、これに限定されることはなく、アルミ等の他の金属材料であってもよく、金属材料以外の樹脂材料等であってもよい。また、吊り下げフック部材１は板材で形成されることに限定されることはなく、例えば後述する第２変形例の吊り下げフック部材１のように、線材で形成されてもよい。フック部１１は、竿状体２を保持するために半円状に湾曲して形成されているが、フック部１１の形状はこれに限定されることはない。本実施形態では、フック部１１は、前後方向の後ろ側に湾曲して形成されているが、前側に湾曲して形成されてもよい。また、フック部１１は、吊り下げフック部材１に対して複数形成されてもよい。本実施形態では本体部１０が、接続部１５、フック部１１よりも幅広に形成されているが、本体部１０、接続部１５、フック部１１が同じ幅寸法で形成されてもよい。そして、折曲部１４は、前後方向の前側に折曲して形成されているが、後ろ側に折曲して形成されてもよい。折曲部１４の下面に滑り止め加工や、ゴム材等で形成した滑り止めを設けてもよい。係合凹部１３の幅方向の寸法ｂ１は、上述したものに限定されることはなく、例えば、樋支持具本体５４の後耳保持部５６よりも若干大きい寸法に形成されてもよい。これにより、吊り下げフック部材１は、取付杆５２ではなく、後耳保持部５６に吊り下げ支持させることができる。これに限らず、係合凹部１３の幅方向の寸法ｂ１は、吊り下げフック部材１が吊り下げられる箇所の大きさに合わせて形成されればよい。また、吊り下げフック部材１が吊り下げられる軒樋支持具５は吊具に限定されることはなく、軒樋４を受け支持する受け具であってもよく、様々な種類の軒樋支持具５に吊り下げフック部材１は吊り下げ可能である。
【００２９】
次に図５（ａ）〜（ｃ）に示す各変形例について説明する。なお、第１実施形態と共通する部分には、可能な限り同一の符号を付し、その構成及び作用・効果等の説明は省略する。
【００３０】
図５（ａ）に示す第１変形例は、本体部１０の幅方向の一方側の端面１０ａと、幅方向の他方側の端面１０ａ’とに、それぞれ幅方向に凹状に開口する開口部１２，１２’と、開口部１２，１２’の突き当りから上方向に凹状に開口して、係合凹部１３，１３’とが形成されている。開口部１２，１２’は、連通しないように上下方向の位置が異なるように形成されている。また、他方側の端面１０ａ’の開口部１２’から連通している下方側の係合凹部１３’は、上方に位置する開口部１２と連通しないように形成されている。開口部１２，１２’は、第１実施形態の開口部１２と同様に、本体部１０の内方側から外方側に近づくにつれて開口幅が大きくなっている。フック部１１、接続部１５の構成は、第１実施形態の吊り下げフック部材１と同様である。
開口部１２，１２’により、軒樋支持具５の幅方向のいずれの方向からも吊り下げフック部材１を挿し込むことができる。
【００３１】
図５（ｂ）に示す第２変形例は、吊り下げフック部材１が板材ではなく、一本の金属製の線材を折曲して形成されている。開口部１２は本体部１０の幅方向外側から幅方向内方側に凹状に開口するように折曲され、開口部１２の突き当りから上方に凹状に開口するように折曲されている。フック部１１は、吊り下げフック部材１の下端を前後方向に半円状に湾曲して形成されている。
線材で吊り下げフック部材１が形成されることにより、吊り下げフック部材１に使用される材料が軽減される。また、線材で形成された吊り下げフック部材１は、風に対して受ける面積が小さくなるので、風で煽られにくくなっている。
【００３２】
図５（ｃ）に示す第３変形例は、吊り下げフック部材１のフック部１１が上下方向に位置調整可能に構成されている。本体部１０と一体に形成されている接続部１５Ａの下端側には、丸孔（不図示）が開設され、本体部１０と別体に形成されたフック部１１の上方には、接続部１５Ｂが一体に形成されている。フック部１１側の接続部１５Ｂには、上下方向に延びる長孔１５ａが開設されている。接続部１５Ａの丸孔と接続部１５Ｂの長孔１５ａが重なった状態で丸孔と長孔１５ａにボルト７ａを通し、蝶ナット７ｂを締結させることで、接続部１５Ａと接続部１５Ｂが連結される。フック部１１を上下方向に位置調整させる場合は、蝶ナット７ｂを緩め、フック部１１を所望の位置にスライドさせて調整し、再び蝶ナット７ｂを締結させる。
吊り下げフック部材１のフック部１１は、上下方向に位置調整可能に構成されているので、フック部１１に保持される物や、引っ掛けられる物の上下方向の位置が調整可能となる。
【００３３】
図５（ａ）の第１変形例は、開口部１２が複数形成されている例を、図５（ｂ）の第２変形例は、吊り下げフック部材１が板材以外で形成されている例を、図５（ｃ）の第３変形例は、フック部１１が上下方向の位置調整手段を有する例をそれぞれ示している。そのため、各変形例の形状は上述したものや図面で示されているものに限定されることはない。例えば、図５（ａ）〜（ｃ）の各変形例は、折曲部１４が形成されていないが、図１（ｂ）の吊り下げフック部材１のように、折曲部１４が形成されていてもよい。
【００３４】
第１変形例では、開口部１２，１２’は、連通しないように上下方向の位置が異なるように形成されているが、連通しないのであれば開口部１２，１２’は上下方向の位置が同じであってもよい。
【００３５】
第２変形例では、第１実施形態と略同様の形状に形成されているが、例えば第１変形例のように、開口部１２が複数形成されていてもよい。
【００３６】
第３変形例のフック部１１の上下方向の位置調整手段は、図５（ｃ）に示す構成に限定されることはなく、例えば、ボルト７ａ、蝶ナット７ｂに代わり軒樋支持具５のロックレバー５７のようなフック部１１の上下方向の移動のロック状態／アンロック状態を回転操作で自在に切り替えるレバー部であってもよい。また、フック部１１側の接続部１５に長孔１５ａが開設する代わりに、複数の丸孔が上下方向に間隔を空けて連続して形成され、本体部１０側の丸孔とフック部１１側の所望の位置の丸孔とが重なり合う位置にボルト７ａを通して蝶ナット７ｂを締結させる態様であってもよい。
【符号の説明】
【００３７】
１        吊り下げフック部材
２        竿状体
４        軒樋
５        軒樋支持具
６        軒先
１０      本体部
１０ａ    端面
１１      フック部
１２      開口部
１３      係合凹部
【図１】
2020143424.tif 000003
【図２】
2020143424.tif 000004
【図３】
2020143424.tif 000005
【図４】
2020143424.tif 000006
【図５】
2020143424.tif 000007